【手続補正書】
【提出日】平成15年10月30日(2003.10.30)
【手続補正１】
【補正対象書類名】特許請求の範囲
【補正対象項目名】全文
【補正方法】変更
【補正の内容】
【特許請求の範囲】
【請求項１】
エネルギ・コンディショニング配置であって：
互いに導電性結合される実質的に同一のサイズならびに形状の第１の複数のエネルギ経路；
互いに導電性結合される実質的に同一のサイズならびに形状の第２の複数のエネルギ経路；
互いに導電性結合される実質的に同一のサイズならびに形状の第１の複数のシールディング・エネルギ経路；および、
互いに導電性結合される実質的に同一のサイズならびに形状の第２の複数のシールディング・エネルギ経路；
を備え、
前記第１の複数のシールディング・エネルギ経路が、少なくとも、前記第１の複数のエネルギ経路を前記第２の複数のエネルギ経路からシールドしており；かつ、
前記第２の複数のシールディング・エネルギ経路が、少なくとも、前記第２の複数のエネルギ経路を前記第１の複数のエネルギ経路からシールドしている、前記エネルギ・コンディショニング配置。
【請求項２】
前記第１と第２の複数のシールディング・エネルギ経路が、互いに導電分離されている、請求項１記載のエネルギ・コンディショニング配置。
【請求項３】
エネルギ・コンディショニング配置であって：
互いに導電性結合される第１の複数の重ねられたエネルギ経路；および、
互いに導電分離される少なくとも第１および第２のペアのエネルギ経路を含む、等しいサイズならびに形状の第２の複数のエネルギ経路；
を備え、
前記第１のペアのエネルギ経路のエネルギ経路が、それぞれ導電分離されて配置され、相互に対向するポジションにおいて他方からそれぞれ配向されており；
前記第１のペアのエネルギ経路のエネルギ経路が、それぞれ導電分離されて配置され、相互に対向するポジションにおいて他方からそれぞれ配向されており；
前記複数の重ねられたエネルギ経路の任意の１つのエネルギ経路が、前記第２の複数のエネルギ経路の任意の１つのエネルギ経路より大きく；かつ、
前記第１および第２のペアのエネルギ経路が、それぞれシールドされて配置され、互いに横のポジションから配向されている、前記エネルギ・コンディショニング配置。
【請求項４】
さらに、特性を有する材料を備え；
前記第１の複数の重ねられたエネルギ経路および前記第２の複数のエネルギ経路が、少なくとも前記特性を有する材料によって互いに離隔されている、請求項３記載のエネルギ・コンディショニング配置。
【請求項５】
エネルギ・コンディショニング配置であって：
互いに導電性結合される複数のエネルギ経路；
シールドされる第１の複数の共平面エネルギ経路；および、
シールドされる第２の複数の共平面エネルギ経路；
を備え、
前記第１および第２の複数の共平面エネルギ経路が、それぞれ互いに導電分離されている、前記エネルギ・コンディショニング配置。
【請求項６】
前記第１および第２の複数の共平面エネルギ経路が、それぞれ互いにシールドされている、請求項５記載のエネルギ・コンディショニング配置。
【請求項７】
さらに、複数の材料部分を備え；
前記エネルギ・コンディショニング配置の各エネルギ経路が、前記複数の材料部分の少なくとも１つの材料部分によって前記エネルギ・コンディショニング配置のほかのいずれかのエネルギ経路からも離隔されている、請求項６記載のエネルギ・コンディショニング配置。
【請求項８】
さらに、複数の材料部分を備え；
前記エネルギ・コンディショニング配置の各エネルギ経路が、前記複数の材料部分の少なくとも２つの材料部分によって、それぞれサンドウィッチされている、請求項６記載のエネルギ・コンディショニング配置。
【請求項９】
エネルギ・コンディショニング配置であって：
少なくとも、第１および第３のエネルギ経路によってサンドウィッチされ、かつシールドされている第２のエネルギ経路、前記第３および第５のエネルギ経路によってサンドウィッチされ、かつシールドされている第４のエネルギ経路、前記第５および第７のエネルギ経路によってサンドウィッチされ、かつシールドされている第６のエネルギ経路、および、前記第７および第９のエネルギ経路によってサンドウィッチされ、かつシールドされている第８のエネルギ経路を有する複数のエネルギ経路；
を備え、
前記第２、第４、第６、および第８のエネルギ経路が、それぞれ実質的に同一のサイズであり、前記第１、第３、第５、第７、および第９のエネルギ経路のいずれよりも小さく；
前記第２、第４、第６、および第８のエネルギ経路が、互いに導電分離されて配置されており；
前記第１、第３、第５、第７、および第９のエネルギ経路が、重ねられ、互いに導電性結合されて、前記第２、第４、第６、および第８のエネルギ経路をシールドしており；かつ、
少なくとも前記第２および第４のエネルギ経路が、相互に反対のポジションから前記第５のエネルギ経路をサンドウィッチする態様で配向されて配置されている、エネルギ・コンディショニング配置。
【請求項１０】
少なくとも前記第１、第３、第５、第７、および第９のエネルギ経路が、シールド・エネルギ経路である、請求項９記載のエネルギ・コンディショニング配置。
【請求項１１】
少なくとも前記第１、第３、第５、第７、および第９のエネルギ経路が、シールド・エネルギ経路であり；かつ、
少なくとも前記第２、第４、第６、および第８のエネルギ経路が、シールドされるエネルギ経路である、請求項９記載のエネルギ・コンディショニング配置。
【請求項１２】
前記シールド・エネルギ経路の数が奇数の整数であり；かつ、
前記複数のエネルギ経路のエネルギ経路の数が奇数の整数である、請求項１０記載のエネルギ・コンディショニング配置。
【請求項１３】
前記第２および前記第４のエネルギ経路が、第６および第８のエネルギ経路のポジションの向きに対して、少なくとも整列しない向きから９０度の垂直の向きまでの範囲で位置決めされている、請求項１０記載のエネルギ・コンディショニング配置。
【請求項１４】
前記複数のエネルギ経路の各エネルギ経路が、少なくとも１つの延長部分（extended
portion）を有する、請求項９記載のエネルギ・コンディショニング配置。
【請求項１５】
前記複数のエネルギ経路の各シールドされるエネルギ経路が、少なくとも第１の延長部分を有し；かつ、
前記複数のエネルギ経路の各シールドするエネルギ経路が、少なくとも第１および第２の延長部分を有する、請求項１１記載のエネルギ・コンディショニング配置。
【請求項１６】
さらに材料を備え；
前記複数のエネルギ経路の任意のエネルギ経路が、少なくとも前記材料によって、前記複数のエネルギ経路のほかの任意の１つのエネルギ経路から離隔される、請求項１４記載のエネルギ・コンディショニング配置。
【請求項１７】
さらに複数の材料部分を備え；
前記複数のエネルギ経路の各エネルギ経路が、前記複数の材料部分の少なくとも２つの材料部分によってサンドウィッチされており；かつ、
前記複数の材料部分の各材料部分が、少なくとも１つのあらかじめ決定された電気的特性を有している、請求項１６記載のエネルギ・コンディショニング配置。
【請求項１８】
前記第５のエネルギ経路が、前記複数のエネルギ経路の中央のエネルギ経路である、請求項１６記載のエネルギ・コンディショニング配置。
【請求項１９】
エネルギ・コンディショニング配置であって：
互いに導電性結合される少なくとも第１、第２、第３、第４、および第５のエネルギ経路を含む、複数の重ねられたエネルギ経路；
少なくとも第１および第２のペアの相補エネルギ経路を含む、少なくとも２ペアの相補エネルギ経路；
を備え、
前記少なくとも２ペアの相補エネルギ経路が、等しいサイズならびに形状であり、それぞれ前記複数の重ねられたエネルギ経路から導電分離され、かつ互いから導電分離されており；
前記複数の重ねられたエネルギ経路のそれぞれのエネルギ経路が、前記２ペアの相補エネルギ経路のいずれかのエネルギ経路より大きく；
前記第１のペアの相補エネルギ経路の第１の相補エネルギ経路が、前記第１および前記第２のエネルギ経路によってサンドウィッチされ、かつシールドされており、前記第１のペアの相補エネルギ経路の第２の相補エネルギ経路が、前記第２および前記第３のエネルギ経路によってサンドウィッチされ、かつシールドされており、前記第２のペアの相補エネルギ経路の第１の相補エネルギ経路が、前記第３および前記第４のエネルギ経路によってサンドウィッチされ、かつシールドされており、かつ前記第２のペアの相補エネルギ経路の第２の相補エネルギ経路が、前記第４および前記第５のエネルギ経路によってサンドウィッチされ、かつシールドされており；かつ、
前記複数の重ねられたエネルギ経路および前記少なくとも２ペアの相補エネルギ経路が、材料によって互いに少なくとも離隔される、前記エネルギ・コンディショニング配置。
【請求項２０】
前記エネルギ・コンディショニング配置の少なくとも一部が、ドーピング・プロセスによって作られる、請求項１〜１９のいずれかに記載のエネルギ・コンディショニング配置。
【請求項２１】
前記エネルギ・コンディショニング配置が、エネルギ・コンディショニング容量性回路網の少なくとも一部である、請求項１〜１９のいずれかに記載のエネルギ・コンディショニング配置。
【請求項２２】
前記エネルギ・コンディショニング配置が、少なくとも２つの絶縁された容量性回路網を有する、請求項１〜１９のいずれかに記載のエネルギ・コンディショニング配置。
【請求項２３】
前記エネルギ・コンディショニング配置が、少なくとも１つのバイパス・キャパシタを有する、請求項１〜１９のいずれかに記載のエネルギ・コンディショニング配置。
【請求項２４】
前記エネルギ・コンディショニング配置が、少なくとも１つのフィードスルー・キャパシタおよび少なくとも１つのバイパス・キャパシタを有する、請求項１〜１９のいずれかに記載のエネルギ・コンディショニング配置。
【請求項２５】
前記エネルギ・コンディショニング配置が、少なくとも２つの絶縁された分圧器を有する、請求項１〜１９のいずれかに記載のエネルギ・コンディショニング配置。
【請求項２６】
前記エネルギ・コンディショニング配置が、分圧器である、請求項１〜１９のいずれかに記載のエネルギ・コンディショニング配置。
【請求項２７】
前記エネルギ・コンディショニング配置が、バイパス・エネルギ・コンディショニング配置、フィードスルー・エネルギ・コンディショニング配置、およびクロス‐オーバ・エネルギ・コンディショニング配置からなるエネルギ・コンディショニング配置のグループから選択されたエネルギ・コンディショニング配置である、請求項１〜１９のいずれかに記載のエネルギ・コンディショニング配置。
【請求項２８】
前記エネルギ・コンディショニング配置が、基板、モータ、および回路からなるコンポーネントのグループから選択されたコンポーネントに結合される、請求項１〜１９のいずれかに記載のエネルギ・コンディショニング配置。
【請求項２９】
前記エネルギ・コンディショニング配置が、前記エネルギ・コンディショニング配置内からの近距離場の電気的フラックス（near-field electrical flux）の部分の逃げを防止する、請求項１〜１９のいずれかに記載のエネルギ・コンディショニング配置。
【請求項３０】
前記エネルギ・コンディショニング配置が、持続性の静電シールディングに関して使用されるべく動作可能である、請求項１〜１９のいずれかに記載のエネルギ・コンディショニング配置。
【請求項３１】
前記エネルギ・コンディショニング配置が、環状の形状である、請求項１〜１９のいずれかに記載のエネルギ・コンディショニング配置。
【請求項３２】
前記エネルギ・コンディショニング配置が、さらに環状に成形された部分を備える、請求項１〜１９のいずれかに記載のエネルギ・コンディショニング配置。
【請求項３３】
前記エネルギ・コンディショニング配置が、さらに少なくとも１つのアパーチャを備える、請求項１〜１９のいずれかに記載のエネルギ・コンディショニング配置。
【請求項３４】
前記エネルギ・コンディショニング配置が、第１の回路の部分として動作可能であり；かつ、
前記エネルギ・コンディショニング配置が、第２の回路の部分として動作可能である、請求項１〜１９のいずれかに記載のエネルギ・コンディショニング配置。
【請求項３５】
前記エネルギ・コンディショニング配置が、少なくとも第１および第２の回路それぞれの、独立したエネルギのコンディショニングを行うべく動作可能である、請求項１〜１９のいずれかに記載のエネルギ・コンディショニング配置。
【請求項３６】
前記エネルギ・コンディショニング配置の任意の１つのエネルギ経路が、スプリット・エネルギ経路である、請求項１〜１９のいずれかに記載のエネルギ・コンディショニング配置。
【請求項３７】
前記エネルギ・コンディショニング配置がエネルギーを与えられるものとする、請求項１〜１９のいずれかに記載のエネルギ・コンディショニング配置。
【請求項３８】
前記エネルギ・コンディショニング配置が、センサの一部として動作可能である、請求項１〜１９のいずれかに記載のエネルギ・コンディショニング配置。
【請求項３９】
前記エネルギ・コンディショニング配置が、演算増幅器の一部として動作可能である、請求項１〜１９のいずれかに記載のエネルギ・コンディショニング配置。
【請求項４０】
エネルギ・コンディショニング配置であって：
互いに導電性結合される実質的に同一のサイズならびに形状の第１の複数のエネルギ経路；
互いに導電性結合される実質的に同一のサイズならびに形状の第２の複数のエネルギ経路；
互いに導電性結合される実質的に同一のサイズならびに形状の第１の複数のシールディング・エネルギ経路；
を備え、
前記第１の複数のシールディング・エネルギ経路が、少なくとも、前記第１の複数のエネルギ経路を前記第２の複数のエネルギ経路からシールドしている、前記エネルギ・コンディショニング配置。
【請求項４１】
エネルギ・コンディショニング配置を形成する（making、作る、作成する、得る）方法であって：
互いに導電性結合される実質的に同一のサイズならびに形状の第１の複数のエネルギ経路を供給するステップ；
互いに導電性結合される実質的に同一のサイズならびに形状の第２の複数のエネルギ経路を供給するステップ；
互いに導電性結合される実質的に同一のサイズならびに形状の第１の複数のシールディング・エネルギ経路を供給するステップ； 
を含み、
前記第１の複数のシールディング・エネルギ経路が、少なくとも、前記第１の複数のエネルギ経路を前記第２の複数のエネルギ経路からシールドしている、前記方法。
【請求項４２】
互いの上に前記複数の経路を形成するレイヤリング材料を備える請求項４１に記載の方法。
【請求項４３】
エネルギ・コンディショニング配置を使用する方法であって、前記コンディショニング配置は、
互いに導電性結合される実質的に同一のサイズならびに形状の第１の複数のエネルギ経路；
互いに導電性結合される実質的に同一のサイズならびに形状の第２の複数のエネルギ経路；
互いに導電性結合される実質的に同一のサイズならびに形状の第１の複数のシールディング・エネルギ経路；
を備え、
前記第１の複数のシールディング・エネルギ経路が、少なくとも、前記第１の複数のエネルギ経路を前記第２の複数のエネルギ経路からシールドしており；かつ、
前記方法は、前記第１の複数のエネルギ経路と、前記第２の複数のエネルギ経路を越えて回路に接続することを含む前記方法。